(57)【特許請求の範囲】
【請求項１】
写真レンズを通して取得した像を画像信号に変換する撮像手段と、画像信号を記録する記録手段と、記録した画像データなどを表示する表示手段と、外部表示装置へ表示させる画像データや各種制御信号を外部送るインターフェース手段と、前記外部表示装置に表示された画像データに対するトリミングなどの画像加工処理を筐体の動きや傾きで制御するために該筐体の動きや傾きを検出する位置検出手段と、前記筐体の動きを前記位置検出手段の出力に基づいて解析して前記画像加工処理の実行命令を制御信号として生成する情報処理手段と、を備えたデジタルカメラにおいて、前記外部表示装置の画面に対して平行又は垂直に前記デジタルカメラ筐体を動かすことで、該外部表示装置と前記デジタルカメラ筐体との距離、位置関係によって前記デジタルカメラの前記表示手段に表示される画像領域を前記外部表示装置に表示される全体の画像に対して変化させ、前記外部表示装置に表示される全体の画像と前記表示手段に表示される局部の画像とを対照しながら画像の拡大や縮小を行い画像の抽出を行うことを特徴とするデジタルカメラ。
【請求項２】
前記拡大・縮小の処理が終了したことを音声で告知する請求項１に記載のデジタルカメラ。
【請求項３】
前記拡大・縮小の処理が終了すると、前記表示手段及び前記外部表示装置の少なくとも一方で前記拡大・縮小の処理の終了を確認する表示を行う請求項１に記載のデジタルカメラ。
【請求項４】
前記外部表示装置に前記画像領域を示す枠を表示する請求項１に記載のデジタルカメラ。
【請求項５】
請求項１から４のいずれか１つに記載のデジタルカメラと、前記デジタルカメラからの画像データや各種制御信号を受けるためのインターフェース手段及び前記画像データを蓄積する蓄積手段を備えた外部装置と、前記外部装置に接続され前記画像データを表示する外部表示装置と、を備えたことを特徴とするデジタルカメラシステム。
【発明の詳細な説明】
【０００１】
【発明の属する技術分野】
本発明は、撮影した画像をパソコンの介在なしで外部へ表示したり蓄積するシステムに用いられるデジタルカメラに関し、特に、表示した画像データの加工処理のためのインターフェースに係る。
【０００２】
【従来の技術】
デジタルカメラは、撮影したその場でカメラ本体の表示手段に画像を再生できることや、画像データをパソコンなどに取り込めば、撮影者が自ら画像の加工や編集を行えることなどから、その利用が急速に高まっている。
【０００３】
ところで、画像の加工や編集は、デジタルカメラをパソコンに接続したり、あるいは画像ファイルを記録した記録媒体をパソコンにセットしたりして、画像データをパソコン側に転送してから専用のソフトウェアを使用して行う必要がある。そのため、手元に適当なパソコンがないか、あっても所要の画像処理ソフトウェアがインストールされていない場合、若しくはインターフェースケーブルなどの付属品が見当たらない場合には、画像の加工や編集を行うことは不可能で、しかも、パソコンの操作に不慣れな使用者には困難を伴うという課題がある。
【０００４】
近年、撮影した画像をパソコンの介在なしで外部へ表示したり蓄積するシステムが知られており、簡易な操作で撮影した画像の表示等が可能であるが、画像の加工や編集作業を行う場合は、依然としてある程度の操作が必要である。
【０００５】
特に、画像を拡大・縮小しながらトリミングを行う場合、通常、全体の構図に対してトリミングの対象となる領域を抽出する作業が必要である。この作業は、一般の写真撮影では、カメラのファインダを覗きながら撮影者が前後、左右に移動しながら被写体からの距離や被写体に対する方向を変えて被写体との位置関係を定めている。このような作業を外部表示装置に表示された画像に対して行う場合は、例えば、元の全体の画像とトリミング後の画像とを並べて表示させて、両方の画像を確認しながら、機器の操作により画像の拡大・縮小を繰り返し所望のトリミングを行うことになる。
【０００６】
上述のように、撮影した画像をパソコンの介在なしで容易に外部に表示できるシステムであっても、画像の編集・加工等の処理は、依然として機器の操作が必要となり、また、一般の写真撮影とは異なる機器の操作を必要とするため、一般の写真撮影と同じような感覚でトリミングを行うことはできないという問題がある。
【０００７】
【発明が解決しようとする課題】
そこで本発明は、撮影した画像をパソコンの介在なしで外部へ表示したり蓄積するシステムを利用した画像データに対するトリミングの際に、機器の操作を必要とせず、通常の写真撮影と同様な感覚でトリミングを行うことができるデジタルカメラを提供することを目的とする。
【０００８】
【課題を解決するための手段】
上述の課題を解決するために本発明は、写真レンズを通して取得した像を画像信号に変換する撮像手段（撮像手段１１）と、画像信号を記録する記録手段（記録手段１３）と、記録した画像データなどを表示する表示手段（表示手段１４）と、外部表示装置へ表示させる画像データや各種制御信号を外部送るインターフェース手段（画像送受信手段１７）と、前記外部表示装置に表示された画像データに対するトリミングなどの画像加工処理を筐体の動きや傾きで制御するために該筐体の動きや傾きを検出する位置検出手段（位置検出手段６）と、前記筐体の動きを前記位置検出手段の出力に基づいて解析して前記画像加工処理の実行命令を制御信号として生成する情報処理手段（情報処理手段１２）と、を備えたデジタルカメラにおいて、前記外部表示装置と前記デジタルカメラ筐体との距離、位置関係によって前記デジタルカメラの前記表示手段に表示される画像領域を前記外部表示装置に表示される全体の画像に対して変化させ、前記外部表示装置に表示される全体の画像と前記表示手段に表示される局部の画像とを対照しながら画像の拡大や縮小を行い画像の抽出を行うことを特徴とする。
【０００９】
この構成によれば、外部表示装置には表示された全体の画像と、カメラ本体の表示手段に表示された局部の画像との２種類の画像を表示させ、画像のトリミングを行う場合は、カメラ筐体を前後、左右に動かすことで外部表示装置に表示された全体の画像からの距離や全体画像に対する方向を変えて全体画像との位置関係を定めることができるため、機器の操作を必要とせず、通常の写真撮影と同様な感覚でトリミングを行うことができる。
【００１０】
【発明の実施の形態】
以下、本発明における実施の形態について図面を用いて詳細に説明する。図１は本発明の実施の形態に係るデジタルカメラの内部構成を示すブロック図である。同図に示すように、このデジタルカメラ１００は、主としてレンズ１０、撮像手段１１、情報処理手段１２、記録手段１３、表示手段１４、及び各種操作スイッチを含む入力手段１５、カメラ筐体の動きや傾きを検知する位置検出手段１６、画像送受信手段１７、などから構成される。
【００１１】
撮像手段１１は撮像素子としてのＣＣＤを含み、レンズ１０及び図示せぬ絞り装置を介してＣＣＤの受光面に結像される被写体の光学像を電子画像信号に変換するブロックである。本例のデジタルカメラ１００に搭載されているＣＣＤは、シャッタゲートパルスのタイミングによって各受光センサの電荷蓄積時間（シャッタースピード）を制御する、いわゆる電子シャッター機能を有している。
【００１２】
レンズ１０はズームレンズでもよいし、単焦点レンズでもよい。レンズ１０は図示せぬモータ（ズームモータやフォーカスモータ）を有するレンズ駆動装置によって駆動される。
【００１３】
情報処理手段１２は中央演算処理装置（ＣＰＵ）及び画像信号処理回路を含むブロックであり、デジタルカメラ１００の各回路を統括制御する処理部である。前記ＣＰＵは、入力手段１５からの入力信号や位置検出手段１６からの出力に応じて対応する動作の制御を行い、レンズ１０のズーミング動作や自動焦点調節（ＡＦ）動作の制御、自動露出調節（ＡＥ）制御、および画像データの外部記録装置への送信、画像の加工・編集処理の実行等を行う。画像信号処理回路はＣＰＵの指令に従って、撮像手段１１から出力される画像信号を取り込み、画像信号に基づいて色分離、ゲイン調整、Ａ／Ｄ変換等の所定の処理を行うとともに、輝度信号（Ｙ信号）及び色差信号（Ｃ信号）の生成、ガンマ補正処理、圧縮処理その他の信号処理を行う。
【００１４】
撮像手段１１から得られる画像信号は、画像信号処理回路において所定の処理が施され、撮影された被写体像を示す電子画像データに変換される。こうして得られた画像データは記録手段１３によって本体内蔵メモリに記録される。なお、本体内蔵メモリの代わりに着脱可能な記録媒体、例えば、スマートメディアと呼ばれるカード型ＩＣメモリなどを用いてもよい。記録媒体はメモリカードに限らず、ＰＣカード、磁気ディスク、光磁気ディスク、メモリスティックなど種々の形態が可能である。記録手段１３は使用される記録媒体の種類に対応した読み書き装置で構成される。
【００１５】
表示手段１４は、例えば、液晶ディスプレイ（ＬＣＤ）で構成される。液晶ディスプレイに代えて、有機ＥＬディスプレイその他の平面ディスプレイを用いることもできる。表示手段１４には、本体内蔵メモリから読み出された再生画像の他に、画像の加工や編集処理の種類を示すアイコンが表示される。また、デジタルカメラ１００のモード設定その他の各種設定・選択操作に必要なメニューや選択項目、メモリカードの残記憶容量表示、撮影可能画像数、再生画像のコマ番号、電池の残量等のカメラ機能に関連する情報も表示される。
【００１６】
位置検出手段１６は、操作者がカメラ筐体を動かしたり傾けたりすることで、各種操作の選択や実行が可能になるもので、各種ボタンやスイッチ類による入力を補助する機能を有する。位置検出手段１６により、操作者はより直感的に操作を実行することが可能となる。本実施形態では位置検出手段１６に加速度センサを使用する。具体的には、３次元座標系のＸ、Ｙ、Ｚの各軸方向に加速度センサを配置し、３個のセンサからの出力信号に応じて情報処理手段１２で移動量や回転角度を算出する。
【００１７】
画像送受信手段１７は、記録手段１３に記録された画像データを所定の方式で外部の記録手段に転送したり、外部の記録手段との制御信号の送受信を行い、外部機器とのインターフェースとして機能する。本実施形態ではデータの伝送媒体として赤外線を使用するため、画像送受信手段１７と後述の外部記録装置の画像送受信手段２１には、赤外線の送受信部を備えている。なお、本実施形態では無線による画像データ転送としているが、有線によるデータ転送としてもかまわない。さらに、メモリカード等の記憶メディアを介して画像データを転送するようにしてもよい。
【００１８】
次に、図２は本発明の実施の形態に係るデジタルカメラシステムのブロック構成図である。デジタルカメラ１００の内部構成は図１で示した通りであるので図示を省略する。デジタルカメラ１００から送信される画像データは外部記録装置２００が受信して記録する。外部記録装置２００は主として、画像データの受信や各種制御信号の送受信を行う画像送受信手段２１、各種制御信号の命令を受けて外部記録装置２００の各部の動作を制御する制御手段２２、画像データを記録するメモリ２３、外部モニタあるいは一般のテレビに接続して画像データを表示するための表示用インターフェース２４、画像を印刷する印刷手段２５などから構成される。
【００１９】
また、外部記録装置２００は表示用インターフェース２４に外部表示装置であるモニタあるいは一般のテレビ３００を接続することで、メモリに記録された画像データを表示することが可能である。また、印刷手段２５でメモリ内に格納された画像データをプリントすることが可能である。
【００２０】
次に、図３に本実施形態におけるデジタルカメラの外観略図を示す。デジタルカメラ１００は、筐体３１、電源スイッチ３２、光学ファインダー３３、撮影レンズ３４、シャッターボタン３５、補助光発光部３６、ディスプレイ３７、機能ボタン３８、メニュースイッチ（十字スイッチ）３９、リセットボタン４０、実行／画面切り替えスイッチ４１、赤外線送受信部４２、などで構成されている。
【００２１】
次に、本発明の実施の形態に係るデジタルカメラおよびデジタルカメラシステムの作用について、図４のフローチャートを用いて説明する。デジタルカメラ１００で撮影した画像データはカメラ本体内に保存されている。任意の時点で、撮影した画像データをデジタルカメラ１００の表示手段（ＬＣＤ）１４に表示させ、加工処理を行いたい画像を選択する（ステップＳ１０１）。画像を選択したら、選択した画像を外部記録装置２００に転送するために、デジタルカメラ１００を画像加工処理モードにする（ステップＳ１０２）。本実施形態では、画像加工処理モードに変更する操作を図５に示すように、デジタルカメラ１００の機能ボタン３８を押しながらデジタルカメラ１００の右側を支点として下方向に４５度以上傾けるようにしている。この動きを、位置検出手段１６が画像加工処理モードのＯＮ操作として検出すると、表示手段１４に表示している画像データが記録手段１３から画像送受信手段１７を介して外部記録装置２００に向けて転送される（ステップＳ１０３）。
【００２２】
外部記録装置２００は画像データを受信し（ステップＳ１０４）、メモリ２３に保存する（ステップＳ１０５）。データが転送された時点でデジタルカメラ１００の表示手段１４には画像加工処理のアイコンが表示される（ステップＳ１０６）。また、外部記録装置２００に接続されたテレビ３００には選択した画像データの画像が表示される（ステップＳ１０７）。デジタルカメラ１００の機能ボタン３８を押すと、トリミングを表す「はさみ」のアイコンや、拡大・縮小を表す「ルーペ」のアイコンが順番に表示されるので、所望の画像加工処理を選択する（ステップＳ１０８）。例として拡大・縮小のアイコンの表示例を図６に示す。以降、選択した画像加工処理が行われる（ステップＳ１０９）が、処理の過程においてその画像が外部記録装置２００に接続されたテレビ３００に表示される（ステップＳ１１０）ので、表示を確認しながら処理を実行することができる。
【００２３】
次に、拡大・縮小の画像加工処理の詳細ステップについて図７のフローチャートと、テレビ画面およびデジタルカメラのＬＣＤの表示例（図８）を用いて説明する。
【００２４】
デジタルカメラ１００の表示手段１４に「ルーペ」のアイコンが表示されると拡大・縮小の処理モードになる（ステップＳ２００）。この時点で、外部記録装置２００に接続されたテレビ３００に転送された画像データの全体画像が表示される（ステップS２０１）。その表示に重ねて、現在の選択領域を示す矩形の枠が表示される（ステップＳ２０２）。枠が表示されると、枠内に相当する部分の画像データが外部記録装置２００の画像送受信手段２１からデジタルカメラ１００に向けて送信される（ステップＳ２０３）。受信した画像データはデジタルカメラのＬＣＤに表示される（ステップＳ２０４）ので、操作者は選択領域の画像をＬＣＤの表示で確認できる。この状態におけるテレビおよびＬＣＤの画面表示は図８（ａ）のようになっている。
【００２５】
デジタルカメラ１００が画像データを受信した時点で、拡大・縮小実行モードがＯＮになる（ステップＳ２０５）。テレビに表示された枠を拡大・縮小、移動させて領域の選択を行うが、この操作は、操作者が手に持ったデジタルカメラ１００をテレビ３００側に向け、実際にルーペを近づけたり遠ざけたりするような動作で実行できる。
【００２６】
カメラ筐体の動かし方の例を図９に示す。図のように、操作者はテレビ３００に向かってカメラを持ち、各方向にカメラを動かす。テレビ画面と平行な面上で、上下左右にカメラを動かすと選択領域の位置が移動する（図９（ａ））。テレビ画面に垂直にカメラを動かすと拡大・縮小が行える（図９（ｂ））。近づけると拡大されて図８（ａ）のような表示になり、遠ざけると縮小されて図８（ｃ）のような表示になる。これらのカメラの動きは位置検出手段１６によって検知される。なお、操作者はテレビに向かって操作を行うが、実際は、カメラの動きを位置検出手段が検知し、テレビとデジタルカメラとの間の距離の移動量に換算したデータの送受信が、デジタルカメラ１００と外部記録装置２００との間で行われている。操作者の手は微妙に動くので、拡大・縮小、移動の操作とそれ以外の動きを区別するため、操作は機能ボタン３８を押しながらカメラを動かす（ステップＳ２０６）。デジタルカメラ１００の位置検出手段１６は、実行ボタンを押された時点以降の加速度センサからの出力信号を検知し（ステップＳ２０７）、情報処理手段１２に出力する。
【００２７】
情報処理手段１２は出力信号をもとに、デジタルカメラ１００の筐体が３次元座標系でどちらの方向に移動したかを解析し、筐体の移動量、移動方向を算出する（ステップＳ２０８）。この結果を画像送受信手段１７経由で外部記録装置２００に向けて送信する。外部記録装置２００の画像送受信手段２１は移動データを受信し、制御手段２２は移動データに応じて枠の位置と大きさを変更し、表示する（ステップＳ２０９）。枠が表示されると、枠内に相当する部分の画像データが外部記録装置２００の画像送受信手段２１からデジタルカメラ１００に向けて送信される（ステップＳ２１０）。受信した画像データはデジタルカメラのＬＣＤに表示される（ステップＳ２１１）。
【００２８】
操作者は、所望の構図が得られるまでデジタルカメラ１００を動かし、ステップＳ２０６からステップＳ２１１までの手順を繰り返す。枠の位置と大きさを決定するための移動が終了すると（ステップＳ２１２）、外部記録装置２００のスピーカ（ブロック図では図示省略）から「シュッ」という紙を切ったような擬音を発し（ステップＳ２１３）、拡大・縮小の加工処理が終了したことを音で効果的に告知するようにすることが好ましい。次に拡大・縮小の加工処理後の画像がテレビ３００に表示される（ステップＳ２１４）。画像を確認し（ステップＳ２１５）、やり直しをしたい場合はリセットする（ステップＳ２１６）。確定する場合は加工処理を終了する（ステップＳ２１７）。
【００２９】
次に、再び図４に戻り、画像加工処理（ステップＳ１０９）終了後の手順について説明する。上記の例で拡大・縮小の加工処理が終了すると、加工処理終了後の画像がテレビ３００に表示され（ステップＳ１１０）、これまでに行った加工処理を確定するかどうかを確認する表示が行われる（ステップＳ１１１）。この表示はデジタルカメラ１００の表示手段であるＬＣＤあるいは外部記録装置２００に接続したテレビ３００、またはその両方に表示してもかまわない。確定しない場合は、リセットボタン４０を押してステップＳ１０６に戻り、画像加工処理の選択からやり直しを行うことが可能である。確定する場合、機能ボタン３８を押せば処理後の画像が保存される（ステップＳ１１２）。この場合、処理前の画像データを消去しても、バックアップとして保存するように設定してもかまわない。
【００３０】
なお、本実施形態では加工処理を行う画像データをその都度外部記録装置２００に転送する形式としたが、記録手段１３に保存された画像データを予め外部記録装置２００にすべて転送しておき、デジタルカメラ１００を操作して、外部表示手段に画像を表示させながら検索して、加工処理を実行する画像を選択するようにしてもよい。その際、メモリ２３に保存する画像データは、テーマ別にホルダを設け、検索しやすいように分類しておくことが好ましい。この形式における画像データの保存および画像加工処理のフローチャートを図１０に示す。デジタルカメラ１００は、記録手段１３に保存された画像データを、画像送受信手段１７を経由して外部記録装置２００に送信する（ステップＳ３０１）。外部記録装置２００は画像データを受信して（ステップＳ３０２）、メモリ２３に保存する（ステップＳ３０３）。
【００３１】
次に、任意の時点で転送済みの画像の加工処理を行う場合、デジタルカメラ１００のメニュースイッチ３９で外部記録装置２００の画像検索のメニューを選択し、加工処理を行う画像の検索を行う（ステップＳ３０４）。その際、外部記録装置２００に接続されたテレビ３００には、画像が格納されたホルダをアイコンなどでイメージ表示させ、メニュースイッチである十字スイッチ３９の上下、左右を押下して画像を検索するようにしてもかまわない。検察した画像データの画像はテレビ３００に表示される（ステップＳ３０５）。所定の画像を選択する場合、機能ボタン３８を押して処理実行の確定を行う（ステップＳ３０６）。機能ボタン３８を押すと自動的に画像加工モードになる（ステップＳ３０７）。以降の手順は、図４のフローチャートの「Ａ」で示す箇所以降の流れに合流し、同様であるので説明を省略する。
【００３２】
また、本実施形態では各種加工・編集処理の種類をアイコンで表示する構成としたが、例えば、「拡大」、「縮小」などのように文字で表示するようにしてもかまわない。
【００３３】
さらに、本実施形態ではデジタルカメラ１００の記録手段１３から画像データを外部記録装置２００に転送する際、記録手段１３の該当画像データは消去される方式としている。これは、消去によりデジタルカメラ内のメモリの空き容量を増やし撮影可能枚数を増加させるためであるが、バックアップとして消去しない方式にしてもかまわない。特にメモリカードなどのように着脱可能な記録媒体の場合は、媒体を入れ替えることで撮影可能枚数を増やすことができるので、どちらの方式も採用可能である。
【００３４】
また、本実施形態では、位置検出手段１６でカメラの動きを検出し、確定の操作や表示移動の操作を行う構成としたが、カメラ本体の各種ボタン類、十字スイッチなどでも同等の操作が行えるようになっていることは言うまでもない。
【００３５】
なお、本実施形態では画像データを一旦外部記憶装置に転送してから加工・編集処理を行う構成としたが、例えば外出先などで近くに外部記録装置やテレビがない場合などには、画像データを転送せずに、デジタルカメラ本体のディスプレイを見ながら加工・編集処理を行うことももちろん可能である。その際の画面表示例を図１１に示す。図１１はデジタルカメラのディスプレイの表示画面を示した模式図で、選択した画像の拡大・縮小を行うモードとなっている。この場合も拡大・縮小のモードを示す「ルーペ」のイラストのアイコンが画面右上に表示されているので、拡大・縮小の実行モードであることが容易に識別できる。また、ＬＣＤには選択領域を示す枠も表示される。操作者はＬＣＤを見ながらカメラ筐体を移動させたり、十字スイッチ３９で枠を移動したりして拡大・縮小の部位を選択する。この場合、実行／画面切り替えスイッチ４１を押すたびに、全体画像と選択領域の局部画像の両方の表示が切り替わるようになっているので、このスイッチで全体とのバランスを見ながら構図を決定する。拡大・縮小の加工処理が終了すると終了後の画像がＬＣＤに自動表示される。実行後の表示を見て、トリミングをはじめからやり直したい場合は、カメラ筐体を傾けると実行したトリミング操作がクリアされ、最初の画像が再度表示される。完了の場合は、機能ボタン３８を押す。画像データの保存方法を問う表示が現れるので、上書き保存するか、別名で新たに画像ファイルを作成するかを選択して保存を完了する。
【００３６】
【発明の効果】
本発明のデジタルカメラによれば、画像のトリミングを行う場合は、カメラ筐体を前後、左右に動かすことで外部表示装置に表示された全体の画像からの距離や全体画像に対する方向を変えて全体画像との位置関係を定めることができるため、機器の操作を必要とせず、通常の写真撮影と同様な感覚でトリミングを行うことができる。
【００３７】
また、本発明のデジタルカメラシステムによれば、画像加工処理のための専用パソコンを必要とせず、パソコン操作に不慣れな操作者にも手軽に画像加工が行える。さらに、パソコン用のソフトウェアや、パソコンとデジタルカメラ本体を接続するケーブル類なども不要であるため、それらの有無によって画像加工処理の可否が限定されるといった制限も発生しない。
【図面の簡単な説明】
【図１】本発明の一実施形態におけるデジタルカメラについて内部構成を示したブロック図である。
【図２】本発明の一実施形態におけるデジタルカメラシステムのブロック図である。
【図３】本発明の一実施形態におけるデジタルカメラの外観略図である。
【図４】本発明の一実施形態におけるデジタルカメラおよびデジタルカメラシステムの動作手順を示したフローチャートである。
【図５】本発明の一実施形態におけるデジタルカメラの操作例（画像の転送操作）を示した模式図である。
【図６】本発明の一実施形態におけるデジタルカメラのＬＣＤへのアイコン表示例を示した模式図である。
【図７】本発明の一実施形態におけるデジタルカメラおよびデジタルカメラシステムの拡大・縮小処理における詳細ステップを示したフローチャートである。
【図８】本発明の一実施形態におけるデジタルカメラおよびデジタルカメラシステムの拡大・縮小の加工処理における画面表示例を示した模式図である。
【図９】本発明の一実施形態におけるデジタルカメラの操作例（拡大・縮小の実行操作）を示した模式図である。
【図１０】本発明の一実施形態におけるデジタルカメラおよびデジタルカメラシステムの拡大・縮小の加工処理における第２の詳細ステップを示したフローチャートである。
【図１１】本発明の一実施形態におけるデジタルカメラのＬＣＤを使用して画像加工処理を行う場合の表示例を示した模式図である。
【符号の説明】
１２  情報処理手段
１３  記録手段
１４  表示手段
１６  位置検出手段
１７  画像送受信手段
２１  外部記録装置の画像送受信手段
２２  制御手段
２３  メモリ
２４  表示用インターフェース
３７  ディスプレイ
３８  機能ボタン
３９  メニュースイッチ（十字スイッチ）
４０  リセットボタン
４２  赤外線送受信部
１００  デジタルカメラ
２００  外部記録装置
３００  テレビ
【図１】
0004159271.tif 000002
【図２】
0004159271.tif 000003
【図３】
0004159271.tif 000004
【図４】
0004159271.tif 000005
【図５】
0004159271.tif 000006
【図６】
0004159271.tif 000007
【図７】
0004159271.tif 000008
【図８】
0004159271.tif 000009
【図９】
0004159271.tif 000010
【図１０】
0004159271.tif 000011
【図１１】
0004159271.tif 000012